【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
固定金型と可動金型とを閉じた状態で、キャビティ内に溶融した合成樹脂を射出充填して成形する射出成形方法において、
前記キャビティを形成する入れ子駒とこの入れ子駒の外側に設けられた入れ子駒取付体とを備えた前記固定金型又は可動金型の少なくとも一方の金型の入れ子駒を加熱手段により加熱し、
前記固定金型又は可動金型の前記少なくとも一方の金型の入れ子駒を前記加熱手段により加熱して前記合成樹脂の軟化点以上に昇温したら、溶融した前記合成樹脂を前記キャビティ内に注入充填して保圧し、
この保圧の終了に前後して、前記少なくとも一方の金型の前記入れ子駒取付体を前記加熱手段により加熱して熱膨張させると共に前記少なくとも一方の金型の入れ子駒を冷却手段により冷却して、前記合成樹脂の射出圧力以上の圧力でこの合成樹脂を圧縮させながら硬化させ、
この硬化により合成樹脂成形品が成形されたら、前記少なくとも一方の金型の前記入れ子駒取付体を前記加熱手段により加熱することを止めて前記冷却手段により冷却して熱収縮させる
ことを特徴とする射出成形方法。
【請求項２】
固定金型と可動金型とを閉じた状態で、キャビティ内に溶融した合成樹脂を射出充填して成形する射出成形装置において、
前記固定金型又は可動金型の少なくとも一方の金型を前記キャビティを形成する入れ子駒と、この入れ子駒の外側に断熱材を介して設けられた入れ子駒取付体とから構成し、
前記少なくとも一方の金型の入れ子駒及び入れ子駒取付体に加熱手段及び冷却手段を設け、
前記固定金型又は可動金型の前記少なくとも一方の金型の入れ子駒を前記加熱手段により加熱して前記合成樹脂の軟化点以上に昇温したら、溶融した前記合成樹脂を前記キャビティ内に注入充填して保圧し、この保圧の終了に前後して、前記少なくとも一方の金型の前記入れ子駒取付体を前記加熱手段により加熱して熱膨張させると共に前記少なくとも一方の金型の入れ子駒を前記冷却手段により冷却して前記合成樹脂の射出圧力以上の圧力でこの合成樹脂を圧縮させながら硬化させ、この硬化により合成樹脂成形品が成形されたら、前記少なくとも一方の金型の前記入れ子駒取付体を前記加熱手段により加熱することを止めて前記冷却手段により冷却して熱収縮させることを特徴とする射出成形装置。
【手続補正２】
【補正対象書類名】明細書
【補正対象項目名】発明の名称
【補正方法】変更
【補正の内容】
【発明の名称】射出成形方法及び射出成形装置
【手続補正３】
【補正対象書類名】明細書
【補正対象項目名】０００１
【補正方法】変更
【補正の内容】
【０００１】
本発明は、固定金型と可動金型とを閉じた状態で、キャビティ内に溶融した合成樹脂を射出充填し、且つこの合成樹脂を型内で圧縮するようにした射出成形方法及び射出成形装置に関する。
【手続補正４】
【補正対象書類名】明細書
【補正対象項目名】０００４
【補正方法】変更
【補正の内容】
【０００４】
しかしながら、合成樹脂を射出成型金型内で圧縮するようにしたプレス機能付きの射出成形方法にあっては、固定金型と可動金型のキャビティを形成する合わせ面を充填された合成樹脂をプレスする分だけ余分に開けておいて、溶融した合成樹脂を注入した後、両金型の合わせ面を閉め、型閉めをして合成樹脂をプレスしているため、合成樹脂成形品にバリが発生しやすくなり、バリを抑えるために圧縮量（プレス量）を多くすることができないという問題があった。
【手続補正５】
【補正対象書類名】明細書
【補正対象項目名】０００６
【補正方法】変更
【補正の内容】
【０００６】
勿論、この問題を解決するためには、バリが発生しないような金型構造が必要であり、その場合には金型の製作難易度が上がり、コスト高になると共に金型の耐久性を低下させることがあった。また、合成樹脂の軟化点以下の温度でのプレスになるため、合成樹脂注入部とこの注入部から遠い部位とでは、合成樹脂の温度に差ができて、プレスした際に合成樹脂の圧縮密度に差が生じて、合成樹脂成形品の外観品質の差がでてしまうという問題が発生する。
【手続補正６】
【補正対象書類名】明細書
【補正対象項目名】０００８
【補正方法】変更
【補正の内容】
【０００８】
このため第１の発明は、固定金型と可動金型とを閉じた状態で、キャビティ内に溶融した合成樹脂を射出充填して成形する射出成形方法において、
前記キャビティを形成する入れ子駒とこの入れ子駒の外側に設けられた入れ子駒取付体とを備えた前記固定金型又は可動金型の少なくとも一方の金型の入れ子駒を加熱手段により加熱し、
前記固定金型又は可動金型の前記少なくとも一方の金型の入れ子駒を前記加熱手段により加熱して前記合成樹脂の軟化点以上に昇温したら、溶融した前記合成樹脂を前記キャビティ内に注入充填して保圧し、
この保圧の終了に前後して、前記少なくとも一方の金型の前記入れ子駒取付体を前記加熱手段により加熱して熱膨張させると共に前記少なくとも一方の金型の入れ子駒を冷却手段により冷却して、前記合成樹脂の射出圧力以上の圧力でこの合成樹脂を圧縮させながら硬化させ、
この硬化により合成樹脂成形品が成形されたら、前記少なくとも一方の金型の前記入れ子駒取付体を前記加熱手段により加熱することを止めて前記冷却手段により冷却して熱収縮させる
ことを特徴とする。
【手続補正７】
【補正対象書類名】明細書
【補正対象項目名】０００９
【補正方法】変更
【補正の内容】
【０００９】
また第２の発明は、固定金型と可動金型とを閉じた状態で、キャビティ内に溶融した合成樹脂を射出充填して成形する射出成形装置において、
前記固定金型又は可動金型の少なくとも一方の金型を前記キャビティを形成する入れ子駒と、この入れ子駒の外側に断熱材を介して設けられた入れ子駒取付体とから構成し、
前記少なくとも一方の金型の入れ子駒及び入れ子駒取付体に加熱手段及び冷却手段を設け、
前記固定金型又は可動金型の前記少なくとも一方の金型の入れ子駒を前記加熱手段により加熱して前記合成樹脂の軟化点以上に昇温したら、溶融した前記合成樹脂を前記キャビティ内に注入充填して保圧し、この保圧の終了に前後して、前記少なくとも一方の金型の前記入れ子駒取付体を前記加熱手段により加熱して熱膨張させると共に前記少なくとも一方の金型の入れ子駒を前記冷却手段により冷却して前記合成樹脂の射出圧力以上の圧力でこの合成樹脂を圧縮させながら硬化させ、この硬化により合成樹脂成形品が成形されたら、前記少なくとも一方の金型の前記入れ子駒取付体を前記加熱手段により加熱することを止めて前記冷却手段により冷却して熱収縮させることを特徴とする。
【手続補正８】
【補正対象書類名】明細書
【補正対象項目名】００１３
【補正方法】変更
【補正の内容】
【００１３】
そして、前記スプルーブッシュ８の中心には図示しない射出ノズルから射出される溶融した合成樹脂を通すための第１スプルー９が形成され、その下端部には第１ランナー１０が形成され、この第１ランナー１０の出口たる第２スプルー１１が形成され、更にこの第２スプルー１１の下端部には第２ランナー１２が形成され、この第２ランナー１２の出口たるゲート（サイドゲート）１３が形成される。このゲート１３は前記固定金型部６のキャビティＳ端部においてこのキャビティＳ端部に開設された開口部に側方から連通する。
【手続補正９】
【補正対象書類名】明細書
【補正対象項目名】００１４
【補正方法】変更
【補正の内容】
【００１４】
一方、２０は図示しない可動プラテンにボルトによって取り付けられた可動側組立体であり、この可動側組立体２０は可動側第１ベースプレート２１と、この可動側第１ベースプレート２１にボルトによって固定された可動側第２ベースプレート２２（エジェクタプレート）と、この可動側第２ベースプレート２２を囲むように前記可動側第１ベースプレート２１にボルトによって固定された可動側第３ベースプレート２３と、この可動側第３ベースプレート２３にボルトによって固定された可動側第４ベースプレート２４と、この可動側第４ベースプレート２４の凹部内に嵌合してこの可動側第４ベースプレート２４に固定される可動金型部２６等から成る。
【手続補正１０】
【補正対象書類名】明細書
【補正対象項目名】００２０
【補正方法】変更
【補正の内容】
【００２０】
また、３２は前記固定金型部６の入れ子駒取付体６Ｂ内全体に形成された水平方向に延びた通路とこれに連通する垂直方向に延びた通路とから構成される熱媒体通路で、この熱媒体通路３２内に熱媒体入口３２Ａから流入した加熱用媒体である蒸気、各種油又は加熱水や、冷却用媒体である冷気又は冷却水を流して入れ子駒取付体６Ｂ全体を加熱又は冷却し、熱媒体入口３２Ａから熱媒体通路３２に流入した加熱用媒体又は冷却用媒体は熱媒体出口３２Ｂから流出する。縦方向に延びた前記熱媒体通路３２内には流路を形成する区画板３３が設けられている。
【手続補正１１】
【補正対象書類名】明細書
【補正対象項目名】００２２
【補正方法】変更
【補正の内容】
【００２２】
また、３５は前記可動金型部２６の入れ子駒取付体２６Ｂ内全体に形成された水平方向に延びた通路とこれに連通する垂直方向に延びた通路とから構成される熱媒体通路で、この熱媒体通路３５内に熱媒体入口３５Ａから流入した加熱用媒体である蒸気、各種油又は加熱水や、冷却用媒体である冷気又は冷却水を流して入れ子駒取付体２６Ｂ全体を加熱又は冷却し、熱媒体入口３５Ａから熱媒体通路３５に流入した加熱用媒体又は冷却用媒体は熱媒体出口３５Ｂから流出する。縦方向に延びた前記熱媒体通路３５内には流路を形成する区画板３６が設けられている。
【手続補正１２】
【補正対象書類名】明細書
【補正対象項目名】００２３
【補正方法】変更
【補正の内容】
【００２３】
なお、前記入れ子駒６Ａ、入れ子駒取付体６Ｂ、入れ子駒２６Ａ及び入れ子駒取付体２６Ｂに設けられる加熱手段、冷却手段は、熱媒体通路、加熱用媒体、冷却用媒体に限られず、その他の手段でもよく、加熱手段は、例えば電気ヒータでもよい。
【手続補正１３】
【補正対象書類名】明細書
【補正対象項目名】００２４
【補正方法】変更
【補正の内容】
【００２４】
次に、特に図２乃至図５に基づいて、成形動作について説明する。まず、上述した熱媒体通路２９、３０に熱媒体が供給されて、固定金型部６と可動金型部２６とは、常時所定温度に維持されている。そして、固定金型部６と可動金型部２６とを型閉めした状態で、図２に示すように、固定金型部６の入れ子駒６Ａ下面と可動金型部２６の入れ子駒２６Ａ上面との間に合成樹脂が充填されるキャビティＳが形成されている。